(57)【要約】【課題】  外部に配置されるスピーカー数を減らし、スペースユーティリティーに優れ省スペース化を図ったマルチチャンネルオーディオシステムを提供することをその目的とする。【解決手段】  左右に配置される左右外部スピーカー１０Ｌ，１０Ｒと、重低音を出力するサブウーハーと１１、テレビジョン受像機２０に内蔵される左右内蔵スピーカー２４L，２４Rと、記録再生装置３０に備えられたセンタースピーカー５０とにより５．１チャンネルとなる音声出力可能な６個のスピーカーを備え、主要な装置である記録再生装置３０及びテレビジョン受像機２０の各々にスピーカーを一体に設けたので、外部に独立して６つのスピーカーを配置することなく省スペース化を図ると共に良質な音声を出力可能なマルチチャンネルオーディオシステム１を提供することができる。【選択図】  図１
2005244629.tif 000002
【特許請求の範囲】
【請求項１】
左右に配置される左右外部スピーカーと、重低音を出力するサブウーハーと、テレビジョン受像機に内蔵される左右内蔵スピーカーと、記録再生装置に備えられたセンタースピーカーとにより５．１チャンネルとなる音声出力可能なスピーカーを備えたマルチチャンネルオーディオシステムにおいて、これら左右外部スピーカー、サブウーハー、テレビジョン受像機、記録再生装置を主要な独立した装置として構成し、主要な独立した装置である前記テレビジョン受像機に前記左右内蔵スピーカーを一体に設けると共に、前記記録再生装置の前面中央に前記センタースピーカーを一体に設けたことを特徴とするマルチチャンネルオーディオシステム。
【請求項２】
前記テレビジョン受像機に代えてモニター装置とすることを特徴とする請求項１記載のマルチチャンネルオーディオシステム。
【請求項３】
前記記録再生装置の内側両側部に、前記ＤＶＤユニットとこのＤＶＤユニットからの出力信号に基づいて主要な装置に出力するサウンドデコーダーアンプを離間して配置し、これらＤＶＤユニットとサウンドデコーダーアンプとの間に前記センタースピーカーを設けたことを特徴とする請求項１又は２記載のマルチチャンネルオーディオシステム。
【発明の詳細な説明】
【技術分野】
【０００１】
本発明は、５．１チャンネルとなる複数のスピーカーを備えたマルチチャンネルオーディオシステム、特に、ＤＶＤ（Digital Versatile Disc）などの記録媒体に用いられる高音質を出力可能であると共に省スペース化を図ったマルチチャンネルオーディオシステムに関する。
【背景技術】
【０００２】
従来から用いられている高音質を出力する５．１チャンネルを構成するマルチチャンネルオーディオシステムは、図４に示すように、フロントスピーカー１０１Ｒ，１０１Ｌ、リアスピーカー１００Ｒ，１００Ｌ、重低音を出力するサブウーハー１０２、センタースピーカー１０３により、音声出力するための独立した計６個のスピーカーを室内に配置し、各々のスピーカー１００Ｒ，１００Ｌ，１０１Ｒ，１０１Ｌ，１０２，１０３から高音質を出力するシステムが利用されている。
【０００３】
また、特許文献１には、臨場感あふれる音声を楽しむことを目的として、６つのスピーカーを内蔵したテレビジョン受像機が開示されている。
【０００４】
【特許文献１】特開２００３−９２７９号公報
【発明の開示】
【発明が解決しようとする課題】
【０００５】
ところで、手狭な部屋などにマルチチャンネルオーディオシステムを室内に配置する際には、その条件として比較的大きな室内でなければ、余裕をもって複数の独立したスピーカーを配置することはできない。
【０００６】
つまり、手狭な部屋にマルチチャンネルオーディオシステムを設置して、映画館のような臨場感ある音声を出力して楽しむことは、実質的にはスペース的な問題から困難であり、近年の住宅事情を考慮すれば、あまり適したものとは言えるものではなかった。
【０００７】
本発明は、上述した問題点を鑑みてなされたものであり、外部に独立して配置されるスピーカー数を減らし、省スペース化を図ったマルチチャンネルオーディオシステムを提供することをその目的とする。
【課題を解決するための手段】
【０００８】
請求項１に係るマルチチャンネルオーディオシステムは、左右に配置される左右外部スピーカーと、重低音を出力するサブウーハーと、テレビジョン受像機に内蔵される左右内蔵スピーカーと、記録再生装置に備えられたセンタースピーカーとにより５．１チャンネルとなる音声出力可能なスピーカーを備えたマルチチャンネルオーディオシステムにおいて、これら左右外部スピーカー、サブウーハー、テレビジョン受像機、記録再生装置を主要な独立した装置として構成し、主要な独立した装置である前記テレビジョン受像機に前記左右内蔵スピーカーを一体に設けると共に、前記記録再生装置の前面中央に前記センタースピーカーを一体に設けたことを特徴とする。
【０００９】
請求項１の構成によれば、複数のスピーカーから各々独立した音声を出力することを必須とするマルチチャンネルオーディオシステムを構成するスピーカーを、マルチチャンネルオーディオシステムを構成する主要な装置に一体に設けたことから、外部に独立して配置されるスピーカー数を軽減して省スペース化を図ることができると共に、良質な音声を出力することができる。
【００１０】
請求項２に係るマルチチャンネルオーディオシステムは、請求項１記載のマルチチャンネルオーディオシステムにおいて、前記テレビジョン受像機に代えてモニター装置とすることを特徴とする。
【００１１】
請求項２の構成によれば、互換性の高い、例えばパソコンなどのモニター装置を使用することができるから汎用性に優れる。
【００１２】
請求項３に係るマルチチャンネルオーディオシステムは、請求項１又は２記載のマルチチャンネルオーディオシステムにおいて、前記記録再生装置の内側両側部に、前記ＤＶＤユニットとこのＤＶＤユニットからの出力信号に基づいて主要な装置に出力するサウンドデコーダーアンプを離間して配置し、これらＤＶＤユニットとサウンドデコーダーアンプとの間に前記センタースピーカーを設けたことを特徴とする。
【００１３】
請求項３の構成によれば、ＤＶＤユニットにより記録媒体を回転した際に駆動ノイズが発生したとしても、センタースピーカーで抑制して、サウンドデコーダーアンプへのノイズの影響を防止することができるので、スピーカーから出力される音声にノイズが混在することを防止することができる。
【発明の効果】
【００１４】
請求項１のマルチチャンネルオーディオシステムの発明によれば、左右に配置される左右外部スピーカーと、重低音を出力するサブウーハーと、テレビジョン受像機に内蔵される左右内蔵スピーカーと、記録再生装置に備えられたセンタースピーカーとにより５．１チャンネルとなる音声出力可能なスピーカーを備えたマルチチャンネルオーディオシステムにおいて、これら左右外部スピーカー、サブウーハー、テレビジョン受像機、記録再生装置を主要な独立した装置として構成し、主要な独立した装置である前記テレビジョン受像機に前記左右内蔵スピーカーを一体に設けると共に、前記記録再生装置の前面中央に前記センタースピーカーを一体に設けたので、省スペース化を図ることができると共に臨場感あふれる音声を堪能することができる。
【００１５】
請求項２のマルチチャンネルオーディオシステムの発明によれば、請求項１において、
前記テレビジョン受像機に代えてモニター装置としたので汎用性に優れる
【００１６】
請求項３のマルチチャンネルオーディオシステムの発明によれば、請求項１又は２において、前記記録再生装置の内側両側部に、前記ＤＶＤユニットとこのＤＶＤユニットからの出力信号に基づいて主要な装置に出力するサウンドデコーダーアンプを離間して配置し、これらＤＶＤユニットとサウンドデコーダーアンプとの間に前記センタースピーカーを設けたので、スピーカーから出力される音声にノイズが混在することを防止することができる。
【発明を実施するための最良の形態】
【００１７】
以下、本発明を実施するための最良の形態としての実施例を以下の図１〜３を参照しながら説明する。もちろん、本発明は、その発明の趣旨に反しない範囲で、実施例において説明した以外の構成のものに対しても容易に適用可能なことは説明を要するまでもない。
【００１８】
１は、本実施例に係る５．１チャンネルのマルチチャンネルオーディオシステム（以下、単にシステムと称す。）である。このシステム１は、図１に示すように、左右に配置される外部スピーカー１０Ｌ，１０Ｒ、重低音を出力するサブウーハー１１、テレビジョン受像機２０、記録再生装置３０を主要な独立した装置として構成し、右外部スピーカー１０Ｒ、左外部スピーカー１０Ｌ、サブウーハー１１、テレビジョン受像機２０に内蔵される左右内蔵スピーカー２４L，２４R及び記録再生装置３０に備えられたセンタースピーカー５０とによる計６個のスピーカーにより５．１チャンネルとなるものである（なお、サブウーハーは、０．１チャンネルとなる）。なお、左外部スピーカー１０Ｌ及び右外部スピーカー１０Ｒは、いわゆるリアスピーカーとして用いられるものであり、すなわち視聴者の背面側に配置され、視聴者の後ろ側から音声出力されるものではあるが、その配置を背面であるリアに限定するものではなく、視聴者が、適宜必要に応じて自由に配置換えができるようになっている。
【００１９】
テレビジョン受像機２０は、全体がキャビネット２１により形成されており、その前面には、画面を表示する表示部２２を有しており、この表示部２２の下方には、電源のオン／オフや音量調整などを行う操作ボタン２３を有している。
【００２０】
また、テレビジョン受像機２０には、表示部２２の両側部にテレビジョン受像機２０に一体的に設けられる前述した左右内蔵スピーカー２４Ｌ，２４Ｒを備えている。
【００２１】
図３はシステム１の接続状態を示す説明図である。同図に示すように、テレビジョン受像機２０の背面には、後に詳述する記録再生装置３０のライン出力から出力された信号が入力されるライン入力としてのビデオ入力ジャック２４、左右音声入力ジャック２５Ｌ，２５Ｒを備えている。
【００２２】
記録再生装置３０の背面には、ライン出力としてのビデオ出力ジャック３４、左右音声出力ジャック３５Ｌ，３５Ｒを備えており、前述のビデオ入力ジャック２４，左右音声入力ジャック２５Ｌ，２５Ｒに各々対応するようにして、接続ケーブル４０により各々に結線されている。
【００２３】
さらに、記録再生装置３０の背面には、前述したテレビジョン受像機２０に出力するライン出力のビデオ出力ジャック３４、左右音声出力ジャック３５Ｌ，３５Ｒの他に、左右外部スピーカー１０Ｌ，１０Ｒ及びサブウーハー１１に出力するための左右外部スピーカー出力ジャック３６Ｌ，３６Ｒ、及びサブウーハー出力ジャック３７を備えており、接続ケーブル４１により各々に直接結線されている。なお、テレビジョン受像機２０は、記録再生装置３０の筐体３１の上部に載置されている。
【００２４】
図２は、記録再生装置３０の一例を示す斜視図であり、同図を参照しながら説明すると、記録再生装置３０の前面には、記録媒体の再生・停止、或いは音量調整などを行う各種操作ボタン５３を備え、その前面中央にはセンタースピーカー５０を配置している。
【００２５】
そして、記録再生装置３０の一方の側部にはディスクなどの記録媒体を記録／再生可能なＤＶＤユニット５１を備えると共に、他方の側部には、ＤＶＤユニット５１から出力される信号を変換して、この変換された信号に基づいて音声や画像などを、テレビジョン受像機２０などの主要な装置やスピーカーへ出力などを行うサウンドデコーダーアンプ５２を配置している。また、サウンドデコーダーアンプ５２及びＤＶＤユニット５１の後方には、集積回路、抵抗などの各種電子部品を備え各種制御機能を有する電源ブロック５４を備えている。なお、本実施例における記録再生装置３０の一例においては、記録媒体への記録及び再生の両機能を有しているが、これに限定されるものではなく、再生のみの機能を有するものであっても良い。
【００２６】
以上のように構成されるシステム１は、記録再生装置３０により映画などの画像や音声の記録されている記録媒体をＤＶＤユニット５１に挿入して再生などをする際、記録再生装置３０のサウンドデコーダーアンプ５２などにより、計６個の複数のスピーカーである、左右に配置される左右外部スピーカー１０Ｌ，１０Ｒ、重低音を出力するサブウーハー１１、テレビジョン受像機２１の左右に備えた左右内蔵スピーカー２４Ｌ，２４Ｒ、及び記録再生装置３０に備えられたセンタースピーカー５０の各々に、音声信号などを出力するので、各スピーカー１０Ｌ，１０Ｒ，１１，２４Ｌ，２４Ｒ，５０から独立した音声を出力でき、臨場感あふれる高音質を堪能することができる。さらに、例えば従来から用いられている５．１チャンネルのオーディオシステムのように、計６個のスピーカーを限られた空間に独立して配置することなく、テレビジョン受像機２０の左右内蔵スピーカー２４Ｌ，２４Ｒ及び記録再生装置３０に内蔵されるセンタースピーカー５０を有効的にシステム１の一部として兼用することで、センタースピーカー５０を外部に独立して配設することなく、システム１を構成する主要な装置である記録再生装置３０にこのようなセンタースピーカー５０を内蔵することで、外部には、単に、左右外部スピーカー１０Ｌ，１０Ｒ及びサブウーハー１１の計３個のスピーカーを配置するのみで、システム１を実現できるので、無駄なスペースを使うことなく、省スペースの空間であっても、システム１を配置することが可能である。
【００２７】
以上、本発明の実施例について詳述したが本発明は、前記実施例に限定されるものではなく、本発明の要旨の範囲内で種々の変形実施が可能である。例えば、テレビジョン受像機１の背面に設けられているビデオ入力ジャック２４、左右音声入力ジャック２５Ｌ，２５Ｒをテレビジョン受像機１の前面に設けると共に、これに対応する記録再生装置３０の背面のビデオ出力ジャック３４，左右音声出力ジャック３５Ｌ，３５Ｒ、および左右外部スピーカー出力ジャック３６Ｌ，３６Ｒ、サブウーハー出力ジャック３７を記録再生装置３０の前面に設けても良い。これにより、接続ケーブル４１などの結線作業をより一層容易に行うことができる。従って、手狭な部屋においては、実質的にスペース的な問題から設置の困難であったシステム１を、容易に設置することができ、映画館のような臨場感ある高音質を出力することができる。
【００２８】
また、本実施例におけるシステム１においては、一対の左右内蔵スピーカー２４Ｌ，２４Ｒを備えたテレビジョン受像機２０をシステム１を実現するために兼用しているが、このテレビジョン受像機２０の代わりに、一対の左右スピーカーを備えたパソコンなどに用いられるモニター装置を適用してもよい。
【００２９】
また、記録再生装置３０などにチューナー機能を有する際は、このチューナー機能により、受信される多重放送などのテレビ放送を受信して、各スピーカーから出力することができるので、受信放送をも高音質でスピーカーから出力して視聴することが可能である。
【００３０】
また、ＤＶＤユニット５１とサウンドデコーダーアンプ５２との間に、センタースピーカー５０を設けたので、ＤＶＤユニット５１によって、記録媒体が回転されて再生などを行っている際に発生する駆動ノイズが、サウンドデコーダーアンプ５２にノイズの影響を与えないようにするために、センタースピーカー５０をＤＶＤユニット５１とサウンドデコーダーアンプ５２との間に配置することで抑制することができる。なお、この場合、センタースピーカー５０の高さはＤＶＤユニット５１の高さと同等か或いは高い方が良く、センタースピーカー５０の外装をノイズの防止部材とすれば、より一層確実にノイズを防止することができる。
【００３１】
また、本実施例のシステム１においては、スピーカーを計６個備えているが、スピーカーの数は６個に限定するものではなく、複数のスピーカーから音声を出力するシステムである、例えば、７個以上のスピーカーを備えたシステムであっても、本実施例と同様に主要な装置にスピーカーを内蔵することで同様の効果を奏することができる。
【図面の簡単な説明】
【００３２】
【図１】本発明のシステムを示す斜視図である。
【図２】同上、記録再生装置を示す斜視図である。
【図３】同上、システムの接続状態を示す説明図である。
【図４】従来から用いられているシステムを示す斜視図である。
【符号の説明】
【００３３】
１  システム（マルチチャンネルオーディオシステム）
１０L  左外部スピーカー
１０R  右外部スピーカー
１１  サブウーハー
２０  テレビジョン受像機
２４L  左内蔵スピーカー
２４R  右内蔵スピーカー
３０  記録再生装置
５０  センタースピーカー
５１  ＤＶＤユニット
５２  サウンドデコーダーアンプ
【図１】
2005244629.tif 000003
【図２】
2005244629.tif 000004
【図３】
2005244629.tif 000005
【図４】
2005244629.tif 000006